(57)【要約】【課題】大型の液晶表示装置では、液晶パネル及び挟持枠体自体がたわむため、また寸法のバラツキがあるため、たわみやバラツキ分を逃げる隙間が必要となる。そのために、スピーカを備えていると、液晶パネルが振動し、ビビリ音が生じる。【解決手段】液晶パネルと、該液晶パネルの周縁部を挟持する挟持枠体を備えた液晶パネルユニットであって、前記挟持枠体は、二つ挟持枠体からなり、前記挟持枠体には、前記接着剤を充填するための開口部と、紫外線を照射するための開口部を備えた液晶パネルユニットとすることにより、液晶パネルを接着剤で固定する場合、接着剤が完全に硬化する構造を提供でき、表示画面にプーリング（波打つ現象）の現象が発生せず、かつスピーカによる液晶パネルの振動によるビビリ音を防止することができる。【選択図】　図１２
2004133099.tif 000002
【特許請求の範囲】
【請求項１】
二枚の対向する透明絶縁性基板の間に液晶材料を挟持してなる液晶パネルと、該液晶パネルの周縁部を挟持する挟持枠体を備えた液晶パネルユニットにおいて、
前記挟持枠体には、接着剤を充填するための開口部と、紫外線を照射するための開口部を備えたことを特徴とする液晶パネルユニット。
【請求項２】
二枚の対向する透明絶縁性基板の間に液晶材料を挟持してなる液晶パネルと、該液晶パネルの周縁部を挟持する挟持枠体を備えた液晶パネルユニットにおいて、
前記挟持枠体は、前記液晶パネルの裏面側に設けた第１の挟持枠体と、前記液晶パネルの前面側に設けた第２の挟持枠体からなり、
前記第１及び第２の挟持枠体の少なくとも一方の挟持枠体に、接着剤を充填するための複数の開口部を備え、他方の挟持枠体に前記液晶パネルの周縁部を重ねた状態で前記開口部より接着剤を充填し、
前記第２の挟持枠体に紫外線を照射するための複数の開口部を備えたことを特徴とする液晶パネルユニット。
【請求項３】
前記挟持枠体に設けた接着剤を充填するための開口部は、前記液晶パネルの前部、又は後部の周縁部に対応する部分に設け、
かつ前記挟持枠体に備えた紫外線を照射するための複数の開口部は、前記液晶パネルの側面部に対応する部分に設けたことを特徴とする請求項１、又は請求項２に記載の液晶パネルユニット。
【請求項４】
前記挟持枠体と前記液晶パネルに接着剤が充填されていることを特徴とする請求項１〜請求項３のいずれか一項に記載の液晶パネルユニット。
【請求項５】
前記挟持枠体と、前記液晶パネルと、前記挟持枠体の接着剤を充填するための前記開口部に接着剤が充填されていることを特徴とする請求項１〜請求項３のいずれか一項に記載の液晶パネルユニット。
【請求項６】
前記液晶パネルは、表示裏面側の第１の透明絶縁性基板と、表示面側の第２の透明絶縁性基板を備え、
前記挟持枠体と、前記液晶パネルを構成する前記第１の透明絶縁性基板の周縁部に接着剤が充填されていることを特徴とする請求項１〜請求項３のいずれか一項に記載の液晶パネルユニット。
【請求項７】
前記接着剤は、紫外線硬化型接着剤であり、硬化後の硬さが、２０〜１００（ＪＩＳ　Ａ）であることを特徴とする請求項１〜請求項６のずれか一項に記載の液晶パネルユニット。
【請求項８】
請求項１〜請求項７のいずれか一項に記載の液晶パネルユニットと、
液晶パネルの裏面側から該液晶パネルの照明をおこなう光源と、液晶パネルの裏面側であって前記光源を囲むように設けられた反射板を備えた光源ユニットと、
前記液晶パネルユニットと、前記光源ユニットを固定する筐体を備えたことを特徴とする液晶表示装置。
【発明の詳細な説明】
【０００１】
【発明の属する技術分野】
本発明は、液晶パネルを挟持する挟持枠体を備えた液晶パネルユニット、及び該液晶パネルユニットと光源から発せられた光を所定方向へ反射するバックライトユニットを備えた液晶表示装置に関するものである。
【０００２】
【従来の技術】
従来の液晶パネルを固定するための液晶表示装置に関して、図２２の斜視図及び図２３の概略断面図に示したものが知られている（例えば、特許文献１。）。特許文献１である特開２０００−１４７４６９号公報によれば、外枠部材４３は合成樹脂で、液晶パネル４７と相嵌合する形状の凹所４２ａが形成されている。この凹所４２ａの底部には液晶パネル４７の表示面に対応する位置に開口部４２ｂが形成され、周壁部４２ｄの複数箇所には接着剤の注入部４２ｃが形成されている。
【０００３】
また、液晶パネル４７と外枠部材４３は、複数の注入部４２ｃに接着剤として紫外線硬化型樹脂４１が充填され硬化することにより一体化される。外枠部材４３の凹所４２ａへ液晶パネル４７を嵌め込むだけで、当該凹所４２ａ内で液晶パネル４７の位置決め・仮止めを行うことができるとともに、注入部４２ｃへ局所的に樹脂４１を塗布した後に紫外線を照射して硬化させ、液晶パネル４７と外枠部材４３とを一体的に固定することができる技術が記載されている。
【０００４】
【特許文献１】
特開２０００−１４７４６９号公報
【０００５】
【発明が解決しようとする課題】
上述した特開２０００−１４７４６９号公報記載のように、液晶パネルと外枠部材を、接着剤で完全に固定して一体化してしまうと、液晶パネルの表示部の一部に応力が加わり、プーリング（波打つ現象）が表示画面に生じる虞れが有るという課題を有している。
【０００６】
特に大型の液晶表示装置では、液晶パネル及び挟持枠体自体がたわむため、又液晶パネル及び挟持枠体の寸法のバラツキがあるため、たわみやバラツキ分を逃げる隙間が必要となる。しかしながら、それぞれに隙間を設けると、その隙間の分だけガタが生じ、スピーカを備えていると、その振動により液晶パネルが振動し、ビビリが生じる。
【０００７】
また、外部からの衝撃に対して、液晶パネルが外枠部材に固く固定されていると、液晶パネルが割れることが多くなり、また、プーリング（波打つ現象）が表示画面に生じる。そして、位置決め部材では、大よその位置を決定することができるが、液晶パネルを水平方向と、垂直方向とも固定することは、困難である。
【０００８】
本発明は、液晶パネルを接着剤で固定する場合、接着剤が完全に硬化する構造を提供し、また表示画面にプーリング（波打つ現象）の現象が発生しないで、かつスピーカによる液晶パネルの振動によるビビリ音を防止する液晶パネルユニット及び液晶表示装置を提供することを目的とする。また、移動時の衝撃による液晶パネルの破損を防止する液晶パネルユニット及び液晶表示装置を提供することも目的とする。
【０００９】
【課題を解決するための手段】
そこで、上記の問題を解決するために本発明は、二枚の対向する透明絶縁性基板の間に液晶材料を挟持してなる液晶パネルと、該液晶パネルの周縁部を挟持する挟持枠体を備えた液晶パネルユニットにおいて、前記挟持枠体には、前記接着剤を充填するための開口部と、紫外線を照射するための開口部を備えたことを特徴とする液晶パネルユニットとする。このように形成することにより、液晶パネルを接着剤で固定する場合、接着剤が完全に硬化する構造を提供し、また表示画面にプーリング（波打つ現象）の現象が発生せず、かつスピーカによる液晶パネルの振動によるビビリ音を防止することができる。また、紫外線を照射するための開口部を別に設けているので、接着剤が未硬化状態で、液晶パネルの固定が不安定になることもない。また、移動時の衝撃による液晶パネルの破損を防止することができる。
【００１０】
また、二枚の対向する透明絶縁性基板の間に液晶材料を挟持してなる液晶パネルと、該液晶パネルの周縁部を挟持する挟持枠体を備えた液晶パネルユニットにおいて、前記挟持枠体は、前記液晶パネルの裏面側に設けた第１の挟持枠体と、前記液晶パネルの前面側に設けた第２の挟持枠体からなり、前記第１及び第２の挟持枠体の少なくとも一方の挟持枠体に、接着剤を充填するための複数の開口部を備え、他方の挟持枠体に前記液晶パネルの周縁部を重ねた状態で前記開口部より接着剤を充填し、前記第２の挟持枠体に紫外線を照射するための複数の開口部を備えたことを特徴とする液晶パネルユニットとする。
【００１１】
そして、前記挟持枠体に設けた接着剤を充填するための開口部は、前記液晶パネルの前部、又は後部の周縁部に対応する部分に設け、かつ前記挟持枠体に備えた紫外線を照射するための複数の開口部は、前記液晶パネルの側面部に対応する部分に設けたことを特徴とする液晶パネルユニットとする。このように形成することにより、紫外線を照射するための開口部を液晶パネルの側面側に設けているので、接着剤が未硬化状態で、液晶パネルの固定が不安定になることもない。
【００１２】
このとき、前記挟持枠体と前記液晶パネルに接着剤が充填されているか、あるいは、前記挟持枠体と前記液晶パネルと前記挟持枠体の前記開口部に接着剤が充填されていることを特徴とする液晶パネルユニットとする。
【００１３】
又は、前記液晶パネルは、表示裏面側の第１の透明絶縁性基板と、表示面側の第２の透明絶縁性基板を備え、前記挟持枠体と、前記液晶パネルを構成する前記第１の透明絶縁性基板の周縁部に接着剤が充填されていることを特徴とする液晶パネルユニットとする。このように形成することにより、液晶パネルを固定しても、表示画面にプーリング（波打つ現象）の現象が発生せず、かつスピーカによる液晶パネルの振動によるビビリ音を防止することができる。
【００１４】
さらに、前記接着剤は、紫外線硬化型接着剤であり、硬化後の硬さが、２０〜１００（ＪＩＳ　Ａ）であることを特徴とする液晶パネルユニットとする。紫外線硬化型接着剤を用いているので、硬化する時間が、６０秒以内で硬化するので、生産性が良い。
【００１５】
また、上記のいずれかの液晶パネルユニットと、液晶パネルの裏面側から該液晶パネルの照明をおこなう光源と、液晶パネルの裏面側であって前記光源を囲むように設けられた反射板を備えた光源ユニットと、前記液晶パネルユニットと、前記光源ユニットを固定する筐体を備えたことを特徴とする液晶表示装置とする。このように形成することにより、表示画面にプーリング（波打つ現象）の現象がおきず、そして、音声を出力する低音用スピーカを備えた液晶表示装置であって、スピーカによる液晶パネルの振動によるビビリ音を防止することができる。また、移動時の衝撃による液晶パネルの破損を防止することができる。
【００１６】
【発明の実施の形態】
以下に、本発明の第１の実施形態に関する液晶パネルユニット及び液晶表示装置について、図面を用いて説明する。図１（ａ）は、本発明の液晶表示装置の正面図であり、図１（ｂ）は、右側面図である。図２は、図１（ａ）のＡ―Ａ矢視断面を示す概略断面図である。
【００１７】
図３〜図５は、液晶パネルユニットの構成を示すもので、図３は第１の挟持枠体の平面図であり、又図４は第１の挟持枠体上に液晶パネルを配置した場合の平面図であり、さらに図５は図４に示す液晶パネル上に第２の挟持枠体を配置した場合の平面図である。
【００１８】
液晶表示装置には、図１に示すように低音域を再生するスピーカ（ウーハー）５と、ウーハーの左右に中高音域を再生する左右一組のスピーカ４、４を備え、又液晶表示装置本体を支えるスタンド支柱３とスタンド支持台２を具備した構成になっている。１２Ｃは、液晶画面の表示面である。
【００１９】
液晶パネル１２は、二枚の対向する透明絶縁性基板の間に液晶材料を挟持してなり、又液晶パネルユニットは、前記液晶パネル１２の周縁部を挟持する挟持枠体１０と液晶パネル１２を備えた構成になっている。
【００２０】
また、バックライトユニットは、ランプ７と、このランプ７からの光を前面側に反射する反射板６と、前記ランプの前面側に配置され、このランプから直接入射する光，もしくは前記ランプからの光が前記反射板６にて反射されて導かれる光を拡散する拡散板１４とを有しており、この拡散板１４と輝度の向上及び均一化のための光学シート１３等を介して、前面側に配される液晶パネル１２の照明をおこなう構成になっている。
【００２１】
そして、ランプ７は線状蛍光ランプからなり、反射板６は、この線状蛍光ランプ７側の面が可視光域において高い反射率を持つように形成され、拡散板１４側へ線状蛍光ランプ７の光が反射するようになっている。ランプ７は、ランプホルダー８により反射板６に取付けられ、反射板６と挟持枠体１０は、亜鉛ダイキャスト等からなる支持台９により固定されている。
【００２２】
さらに、前記挟持枠体１０は、図３〜図５に示すように前記液晶パネル１２の裏面側に設けた第１の挟持枠体１０ａと、前記液晶パネル１２の前面側に設けた第２の挟持枠体１０ｂから構成され、液晶パネルユニットとバックライトユニットは、前面筐体１６と裏面筐体１７により、固定されている。
【００２３】
図３〜図５を用いて、液晶パネルユニットの構成をさらに詳しく説明する。第１の挟持枠体１０ａには、その四隅にゴムなどからなる緩衝材２０が接着剤、又は両面テープにより接着固定され、また四隅に設けた鉤型の位置決め部材２４をもとに液晶パネル１２が第１の挟持枠体１０ａの緩衝材２０上に配置される。尚、位置決め部材２４は、液晶パネル１２の厚みと略同じ厚みを有している。次に、前記液晶パネル上に複数の開口部２７とゴムなどからなる緩衝材２０が設けられている第２の挟持枠体１０ｂが重ねて配置固定される。上記において、液晶パネル１２の周縁部の一部が、前記開口部２７から、露出するように構成されている。
【００２４】
本発明の第１の実施形態にかかわる液晶パネルユニット及び液晶表示装置について、さらに詳細に説明する。図１２〜図１５、及び図２０は、液晶表示装置の概略断面図である図２における（イ）部の拡大断面図であり、また液晶パネルユニットの平面図である図５のＢ―Ｂ矢視断面に相当する部分の断面図でもある。
【００２５】
尚、液晶パネル１２は、表示裏面側の第１の透明絶縁性基板１２ａと、表示面側の第２の透明絶縁性基板１２ｂから構成され、液晶パネルの駆動回路端子（図示せず）との関係で、断面形状は二種類の形状が存在する。
【００２６】
例えば、図１４に示すように、第１の透明絶縁性基板１２ａと第２の透明絶縁性基板１２ｂが同じ形状であるために、断面が垂直になっているものと、図１２に示すように、第２の透明絶縁性基板１２ｂより第１の透明絶縁性基板１２ａの方が大きいために、階段状になっているものがある。
【００２７】
図１２において、液晶パネル１２と液晶パネル１２の裏面側に設けた第１の挟持枠体１０ａと、前記液晶パネル１２の前面側に設けた第２の挟持枠体１０ｂからなる液晶パネルユニットは、亜鉛ダイキャスト等からなる支持台９に固定部材３０により固定されている。液晶パネル１２は、第２の透明絶縁性基板１２ｂより第１の透明絶縁性基板１２ａの方が大きいために、階段状になっている。接着剤２８は、第１の挟持枠体１０ａと、第１の透明絶縁性基板１２ａと、第２の透明絶縁性基板１２ｂに充填されている。尚、接着剤２８は、第２の挟持枠体１０ｂの開口部２７から充填される。第２の挟持枠体１０ｂに設けられた開口部３８から、紫外線が接着剤２８に照射されて硬化固定される。接着剤２８が、液晶パネルの周縁部両側に充填されているので、接着強度が大きい。
【００２８】
また、前記接着剤は、紫外線硬化型接着剤で、紫外線ランプにより、紫外線を３秒から６０秒照射することにより短時間で硬化し生産性に優れている。紫外線硬化型接着剤として、ジーイー東芝シリコーン株式会社製のＴＳＥ３５０、３５０２、３５０３、３５０４、３５６２、３４５３、３４５０、３４６６などが用いられる。上記接着剤の硬化後の硬さは、３０から８０（ＪＩＳ　Ａ）であり、ソフトな接着剤である。紫外線照射用の開口部３８が設けられているので、未硬化の部分を防止できる。
【００２９】
そして、以下の説明では、図１２と異なる点のみ説明し、重複部分は、同じ記号を付して説明を省略する。図１３では、接着剤２８は、第１の挟持枠体１０ａと、第１の透明絶縁性基板１２ａと、第２の透明絶縁性基板１２ｂと、第２の挟持枠体１０ｂの開口部２７に充填されている。
【００３０】
図１４では、第１の透明絶縁性基板１２ａと第２の透明絶縁性基板１２ｂが同じ形状で、接着剤２８は、第１の挟持枠体１０ａと、第１の透明絶縁性基板１２ａと、第２の透明絶縁性基板１２ｂに充填されている。図１５では、第１の透明絶縁性基板１２ａと第２の透明絶縁性基板１２ｂが同じ形状で、接着剤２８は、第１の挟持枠体１０ａと、第１の透明絶縁性基板１２ａと、第２の透明絶縁性基板１２ｂと、第２の挟持枠体１０ｂの開口部２７に充填されている。また、図２０では、接着剤２８は、第１の挟持枠体１０ａと、第１の透明絶縁性基板１２ａにのみ充填されている。
【００３１】
尚、図示していないが、接着剤２８は、第２の挟持枠体１０ｂの開口部２７と、液晶パネル１２（第１の透明絶縁性基板１２ａ、及び第２の透明絶縁性基板１２ｂの少なくと一方）に充填しても良い。
【００３２】
上記詳述したように、液晶パネルはソフトな紫外線硬化型接着剤で固定され、紫外線を照射するための開口部を別に備えた構成になっているので、スピーカによる液晶パネルの振動によるビビリが防止されるとともに、移動時の衝撃による液晶パネルの破損の防止にも有効である。また、接着剤が完全に硬化状態になるので、液晶パネルは安定に固定される。液晶パネルはクッション性をもって固定され、さらに、液晶パネル１２を構成する表示裏面側の第１の透明絶縁性基板１２ａのみを固定しているので、プーリング（波打つ現象）が表示画面に生じない。尚、上記説明では光源ユニットとして、直下型バックライト装置を用いた例で説明したが、これに限らずサイドエッチ型光源装置であっても、同様な効果が得られる。
【００３３】
次に、上記第１の実施形態に変更を加えた例について、第２の実施形態として、図面を用いて説明する。図１と図２は、上記第１の実施形態と同一なので、説明は重複するので省略する。図６は第１の挟持枠体の平面図で、図７は第１の挟持枠体上に液晶パネルを配置した場合の平面図で、図８は図７の液晶パネル上に第２の挟持枠体を配置した場合の平面図である。
【００３４】
図６〜図８を用いて、液晶パネルユニットの構成を説明する。複数の開口部３７が設けられた第１の挟持枠体１０ａには、その四隅にゴムなどからなる緩衝材２０が接着剤、又は両面テープにより接着固定され、また四隅に設けた鉤型の位置決め部材２４をもとに液晶パネル１２が第１の挟持枠体１０ａの緩衝材２０上に配置される。尚、位置決め部材２４は、液晶パネル１２の厚みと略同じ厚みを有している。次に、前記液晶パネル上にゴムなどからなる緩衝材２０が設けられている第２の挟持枠体１０ｂが重ねて配置固定される。上記において、液晶パネル１２の周縁部の一部は、前記開口部３７から、露出するように構成されている。
【００３５】
本発明の第２の実施形態にかかわる液晶パネルユニット及び液晶表示装置について、図面を用いてさらに詳細に説明する。図１６〜図１９、及び図２１は、液晶表示装置の概略断面図である図２における（ロ）部の拡大断面図であり、また液晶パネルユニットの平面図である図８のＣ―Ｃ矢視断面に相当する部分の断面図でもある。
【００３６】
図１６において、液晶パネル１２と液晶パネル１２の裏面側に設けた第１の挟持枠体１０ａと、前記液晶パネル１２の前面側に設けた第２の挟持枠体１０ｂからなる液晶パネルユニットは、亜鉛ダイキャスト等からなる支持台９に固定部材３０により固定されている。液晶パネル１２は、第２の透明絶縁性基板１２ｂより第１の透明絶縁性基板１２ａの方が大きいために、階段状になっている。緩衝材３２下に液晶パネルの周縁部が配置され、かつ接着剤は、第２の挟持枠体１０ｂと、第１の透明絶縁性基板１２ａと第２の透明絶縁性基板１２ｂに充填されている。
【００３７】
また、前記接着剤は、紫外線硬化型接着剤が好ましい。紫外線硬化型接着剤は、紫外線ランプにより、紫外線を３秒から６０秒照射することにより短時間で硬化し生産性に優れている。紫外線硬化型接着剤として、ジーイー東芝シリコーン株式会社製のＴＳＥ３５０、３５０２、３５０３、３５０４、３５６２、３４５３、３４５０、３４６６などが用いられる。上記接着剤の硬化後の硬さは、３０から８０（ＪＩＳ　Ａ）であり、ソフトな接着剤である。
【００３８】
そして、以下の説明では、図１６と異なる点のみ説明し、重複部分は、同じ記号を付して説明を省略する。図１７では、接着剤は、第２の挟持枠体１０ｂと、第１の透明絶縁性基板１２ａと、第２の透明絶縁性基板１２ｂと、第１の挟持枠体１０ａの開口部３７に充填されている。図１８では、第１の透明絶縁性基板１２ａと第２の透明絶縁性基板１２ｂが同じ形状で、接着剤は、第２の挟持枠体１０ｂと、第１の透明絶縁性基板１２ａと、第２の透明絶縁性基板１２ｂに充填されている。
【００３９】
また、図１９では、第１の透明絶縁性基板１２ａと第２の透明絶縁性基板１２ｂが同じ形状で、接着剤は、第２の挟持枠体１０ｂと、第１の透明絶縁性基板１２ａと、第２の透明絶縁性基板１２ｂと、第１の挟持枠体１０ａの開口部３７に充填されている。図２１では、接着剤は、第２の挟持枠体１０ｂと、第１の透明絶縁性基板１２ａにのみ充填されている。
【００４０】
尚、図示していないが、接着剤２８は、第１の挟持枠体１０ａの開口部３７と、液晶パネル１２（第１の透明絶縁性基板１２ａ、及び第２の透明絶縁性基板１２ｂの少なくと一方）に充填しても良い。
【００４１】
上記詳述したように、液晶パネルはソフトな紫外線硬化型接着剤で固定され、紫外線を照射するための開口部を別に備えた構成になっているので、スピーカによる液晶パネルの振動によるビビリが防止されるとともに、移動時の衝撃による液晶パネルの破損の防止にも有効である。また、接着剤が完全に硬化状態になるので、液晶パネルは安定に固定される。さらに、液晶パネルはクッション性をもって固定され、また液晶パネル１２を構成する表示裏面側の第１の透明絶縁性基板１２ａのみを固定しているので、プーリング（波打つ現象）が表示画面に生じない。
【００４２】
さらに、上記第２の実施形態に変更を加えた例について、第３の実施形態として、図面を用いて説明する。図１と図２は、上記第１の実施形態と同一なので、説明は省略する。図９は第１の挟持枠体の平面図で、図１０は第１の挟持枠体上に液晶パネルを配置した場合の平面図で、図１１は図１０の液晶パネル上に第２の挟持枠体を配置した場合の平面図である。尚、第３の実施形態は、第１の実施形態と第２の実施形態を合せ持つ構成であるので、重複部分は同一記号を記載し、説明を省略する。
【００４３】
図９〜図１１を用いて、液晶パネルユニットの構成を説明する。複数の開口部３７を設けた第１の挟持枠体１０ａには、その四隅にゴムなどからなる緩衝材１９、２０が、接着剤、又は両面テープにより接着固定され、四隅に設けた鉤型の位置決め部材２４をもとに液晶パネル１２が第１の挟持枠体１０ａの緩衝材１９、２０上に配置される。尚、位置決め部材２４は、液晶パネル１２の厚みと略同じ厚みを有している。次に、前記液晶パネル上に複数の開口部２７とゴムなどからなる緩衝材２０が設けられている第２の挟持枠体１０ｂが重ねて配置固定される。上記において、液晶パネル１２の周縁部の一部は、前記開口部２７及び３７から、露出さるように構成されている。尚、第１の挟持枠体１０ａに設けた開口部３７と第２の挟持枠体１０ｂに設けた開口部２７は、互いに重ならないように異なる位置に設けている。
【００４４】
本発明の第３の実施形態にかかわる液晶パネルユニット及び液晶表示装置について、図面を用いてさらに詳細に説明する。図１２〜図１５、及び図２０は、液晶表示装置の概略断面図である図２における（イ）部の拡大断面図であり、また液晶パネルユニットの平面図である図１１のＢ―Ｂ矢視断面に相当する部分の断面図でもある。尚、上記図は、第１の実施形態にかかわる液晶パネルユニット及び液晶表示装置の部分で説明したもの同じなので、重複説明になるので省略する。
【００４５】
図１６〜図１９、及び図２２は、液晶表示装置の概略断面図である図２における（ロ）部の拡大断面図であり、また液晶パネルユニットの平面図である図１１のＣ―Ｃ矢視断面に相当する部分の断面図でもある。尚、上記図は、第２の実施形態にかかわる液晶パネルユニット及び液晶表示装置の部分で説明したもの同じなので、重複説明になるので省略する。
【００４６】
上記詳述したように、液晶パネルはソフトな紫外線硬化型接着剤で固定され、紫外線を照射するための開口部を別に備えた構成になっているので、スピーカによる液晶パネルの振動によるビビリが防止されるとともに、移動時の衝撃による液晶パネルの破損の防止にも有効である。また、接着剤が完全に硬化状態になるので、液晶パネルは安定に固定される。さらに、液晶パネルはクッション性をもって固定され、また液晶パネル１２を構成する表示裏面側の第１の透明絶縁性基板１２ａのみを固定しているので、プーリング（波打つ現象）が表示画面に生じない。さらに、液晶パネルの大型化が進んでいるので、両側から液晶パネルを固定する方法は、有効な手段である。
【００４７】
【発明の効果】
以上説明したように、本発明によれば、液晶パネルと、液晶パネルの周縁部を挟持する挟持枠体を備えた液晶パネルユニットにおいて、挟持枠体には、接着剤を充填するための開口部と、紫外線を照射するための開口部を備えた液晶パネルユニットとすることにより、表示画面にプーリング（波打つ現象）の現象が発生せず、又紫外線を照射するための開口部を別に設けているので、接着剤が未硬化状態で、液晶パネルの固定が不安定になることもない。
【００４８】
また、挟持枠体は、液晶パネルの裏面側に設けた第１の挟持枠体と、液晶パネルの前面側に設けた第２の挟持枠体からなり、第１及び第２の挟持枠体の少なくとも一方の挟持枠体に、接着剤を充填するための複数の開口部を備え、他方の挟持枠体に液晶パネルの周縁部を重ねた状態で開口部より接着剤を充填し、第２の挟持枠体に紫外線を照射するための複数の開口部を備えた液晶パネルユニットとすることにより、表示画面にプーリング（波打つ現象）の現象が発生せず、又紫外線を照射するための開口部を別に設けているので、接着剤が未硬化状態で、液晶パネルの固定が不安定になることもない。さらに、移動時の衝撃による液晶パネルの破損を防止することができる。
【００４９】
さらに、接着剤は、紫外線硬化型接着剤であり、硬化後の硬さが、２０〜１００（ＪＩＳ　Ａ）である液晶パネルユニットとすることにより、スピーカによる液晶パネルの振動によるビビリ音を防止することができ、さらに、硬化する時間が、６０秒以内で硬化するので、生産性が良い。
【００５０】
そして、上記のいずれかの液晶パネルユニットと、液晶パネルの裏面側から液晶パネルの照明をおこなう光源と、液晶パネルの裏面側であって光源を囲むように設けられた反射板を備えた光源ユニットと、液晶パネルユニットと光源ユニットを固定する筐体を備えた液晶表示装置とすることにより、表示画面にプーリング（波打つ現象）の現象がおきず、そして、音声を出力する低音用スピーカを備えた液晶表示装置であっても、スピーカによる液晶パネルの振動によるビビリ音を防止することができる。また、移動時の衝撃による液晶パネルの破損を防止することができる。
【図面の簡単な説明】
【図１】（ａ）は、本発明にかかわる液晶表示装置の正面図である。
（ｂ）は、（ａ）の右側面図である。
【図２】図１のＡ―Ａ矢視断面を示す概略断面図である。
【図３】本発明の第１の実施形態にかかわる第１の挟持枠体の平面図である。
【図４】図３の第１の挟持枠体上に液晶パネルを配置した場合の平面図である。
【図５】図４の液晶パネル上に第２の挟持枠体を配置した場合の平面図である。
【図６】本発明の第２の実施形態にかかわる第１の挟持枠体の平面図である。
【図７】図６の第１の挟持枠体上に液晶パネルを配置した場合の平面図である。
【図８】図７の液晶パネル上に第２の挟持枠体を配置した場合の平面図である。
【図９】本発明の第３の実施形態にかかわる第１の挟持枠体の平面図である。
【図１０】図９の第１の挟持枠体上に液晶パネルを配置した場合の平面図である。
【図１１】図１０の液晶パネル上に第２の挟持枠体を配置した場合の平面図である。
【図１２】本発明の第１の実施形態にかかわる液晶表示装置の図２における（イ）部の拡大断面図で、液晶パネルユニットの図５のＢ―Ｂ矢視断面に相当する部分の断面図である。
【図１３】本発明の第１の実施形態にかかわる液晶表示装置の他の例で、図２における（イ）部の拡大断面図で、液晶パネルユニットの図５のＢ―Ｂ矢視断面に相当する部分の断面図である。
【図１４】本発明の第１の実施形態にかかわる液晶表示装置の他の例で、図２における（イ）部の拡大断面図で、液晶パネルユニットの図５のＢ―Ｂ矢視断面に相当する部分の断面図である。
【図１５】本発明の第１の実施形態にかかわる液晶表示装置の他の例で、図２おける（イ）部の拡大断面図で、液晶パネルユニットの図５のＢ―Ｂ矢視断面に相当する部分の断面図である。
【図１６】本発明の第２の実施形態にかかわる液晶表示装置の図２における（ロ）部の拡大断面図で、液晶パネルユニットの図８のＣ―Ｃ矢視断面に相当する部分の概略断面図である。
【図１７】本発明の第２の実施形態にかかわる液晶表示装置の他の例で、図２おける（ロ）部の拡大断面図で、液晶パネルユニットの図８のＣ―Ｃ矢視断面に相当する部分の断面図である。
【図１８】本発明の第２の実施形態にかかわる液晶表示装置の他の例で、図２における（ロ）部の拡大断面図で、液晶パネルユニットの図８のＣ―Ｃ矢視断面に相当する部分の断面図である。
【図１９】本発明の第２の実施形態にかかわる液晶表示装置の他の例で、図２における（ロ）部の拡大断面図で、液晶パネルユニットの図８のＣ―Ｃ矢視断面に相当する部分の断面図である。
【図２０】本発明の第１の実施形態にかかわる液晶表示装置の他の例で、図２における（イ）部の拡大断面図で、液晶パネルユニットの図５のＢ―Ｂ矢視断面に相当する部分の断面図である。
【図２１】本発明の第２の実施形態にかかわる液晶表示装置の他の例で、図２における（ロ）部の拡大断面図で、液晶パネルユニットの図８のＣ―Ｃ矢視断面に相当する部分の断面図である。
【図２２】従来技術の液晶表示装置の斜視図である。
【図２３】従来技術の液晶表示装置の概略断面図である。
【符号の説明】
２　スタンド支持台
３　スタンド支柱
４　高中音用スピーカ
５　低音用スピーカ
６　反射板
７　ランプ
８　ランプホルダー
９　反射板と液晶パネルユニットの支持台
１０　挟持枠体
１０ａ　第１の挟持枠体
１０ｂ　第２の挟持枠体
１２　液晶パネル
１２ａ　液晶パネルを構成する第１の透明絶縁基板
１２ｂ　液晶パネルを構成する第２の透明絶縁基板
１２ｃ　液晶パネルの表示面
１３　光学シート
１４　拡散板
１６　前面筐体
１７　裏面筐体
１８、１９、２０　緩衝材
２４　位置決め部材
２７、３７　開口部
２８　接着剤
３０　固定部材
【図１】
2004133099.tif 000003
【図２】
2004133099.tif 000004
【図３】
2004133099.tif 000005
【図４】
2004133099.tif 000006
【図５】
2004133099.tif 000007
【図６】
2004133099.tif 000008
【図７】
2004133099.tif 000009
【図８】
2004133099.tif 000010
【図９】
2004133099.tif 000011
【図１０】
2004133099.tif 000012
【図１１】
2004133099.tif 000013
【図１２】
2004133099.tif 000014
【図１３】
2004133099.tif 000015
【図１４】
2004133099.tif 000016
【図１５】
2004133099.tif 000017
【図１６】
2004133099.tif 000018
【図１７】
2004133099.tif 000019
【図１８】
2004133099.tif 000020
【図１９】
2004133099.tif 000021
【図２０】
2004133099.tif 000022
【図２１】
2004133099.tif 000023
【図２２】
2004133099.tif 000024
【図２３】
2004133099.tif 000025